(57)【要約】【課題】片方の手でグリップ部を握ったときに落としにくく、しかも、刃部を肌に強く押し当てることのできる電気かみそりを提供する。【解決手段】棒状のグリップ部２と、刃部５を搭載すると共にグリップ部の上側に支持されたヘッド部１とを備えた電気かみそりにおいて、グリップ部の上端に、グリップ部の後面Ｂ方向に突出する接続部３を設け、その接続部の上部にヘッド部１を取り付けた。接続部の根元部分に括れ部４を設け、グリップ部の前面の上端部２ｂを括れ部よりも上方に延長して、その部分に親指を当てる反り形状の指当て部６を設ける。グリップ部の上端面２ａを、グリップ部の軸線２Ｊに直交する面２Ｐに対して後側に傾斜した傾斜面として形成し、その傾斜面上に接続部を結合した。【選択図】図２
2010162144.tif 000002
【特許請求の範囲】
【請求項１】
片手で握ることのできる棒状のグリップ部と、毛を剃るための外刃と内刃を有した刃部を搭載すると共に前記グリップ部の上側に支持されたヘッド部と、を備えた電気かみそりにおいて、
前記グリップ部の上端に、該グリップ部の後面方向に突出する接続部を設け、その接続部の上部に前記ヘッド部を取り付けたことを特徴とする電気かみそり。
【請求項２】
請求項１に記載の電気かみそりであって、
前記グリップ部に対して前記ヘッド部が前後方向もしくは左右方向に揺動可能に設けられており、
前記ヘッド部の全ての可動域において、当該ヘッド部の前端部の位置が、前記グリップ部の前面の位置よりも後面側に収まるように構成されていることを特徴とする電気かみそり。
【請求項３】
請求項１または２に記載の電気かみそりであって、
前記グリップ部に対して前記ヘッド部が前後方向もしくは左右方向に揺動可能に設けられており、
前記グリップ部の後面方向に突出するように設けられた前記接続部に、前記ヘッド部を前後方向に揺動させる前後揺動機構もしくは左右方向に揺動させる左右揺動機構が搭載されていることを特徴とする電気かみそり。
【請求項４】
請求項１に記載の電気かみそりであって、
前記ヘッド部が前記グリップ部の軸線に対して前方に傾いており、前記ヘッド部に保持された前記刃部の外刃の外面が、前方から見えるように位置していることを特徴とする電気かみそり。
【請求項５】
請求項１〜４のいずれか１項に記載の電気かみそりであって、
前記接続部の前記グリップ部に対して結合している根元部分に、細く括れた括れ部が設けられていることを特徴とする電気かみそり。
【請求項６】
請求項５に記載の電気かみそりであって、
前記グリップ部の前面の上端部が前記括れ部よりも上方に延長されており、その延長部分に、親指を当てるための反り形状の指当て部が設けられていることを特徴とする電気かみそり。
【請求項７】
請求項１〜６のいずれか１項に記載の電気かみそりであって、
前記グリップ部の上端面が、該グリップ部の軸線に直交する面に対して後側に所定角度だけ傾斜した傾斜面として形成されており、その傾斜面に前記接続部が結合されていることにより、前記接続部が、前記グリップ部の後面方向に突出しており、しかも、グリップ部の前面の上端よりも下側にずれて配置されていることを特徴とする電気かみそり。
【発明の詳細な説明】
【技術分野】
【０００１】
本発明は、棒状のグリップ部の上端に、髭を剃るための刃部を有したヘッド部を配置した電気かみそりに関するものである。
【背景技術】
【０００２】
図５は、例えば、特許文献１等に開示されている従来の電気かみそりの側面図である。図５において、Ａは前面側、Ｂは後面側を示している。この種の電気かみそりは、髭を剃るための刃部１０１ａを有するヘッド部１０１と、片手で握ることのできる棒状のグリップ部１０２とを具備しており、グリップ部１０２の上端に接続部１０３を介してヘッド部１０１が取り付けられている。
【０００３】
通常は、グリップ部１０２の中心軸線の延長上にヘッド部１０１が接続されており、図５に示す例のようにグリップ部１０２の上半部の中心軸線Ｊ２が、手に馴染むように下半部の中心軸線Ｊ１よりも前側に湾曲しているような場合には、上半部の中心軸線Ｊ２の延長上にヘッド部１０１が接続されている。これは、電気かみそりの前後の厚みを小さくするためであると考えられる。
【先行技術文献】
【特許文献】
【０００４】
【特許文献１】特開２００６−４２８９７号公報（図５）
【発明の概要】
【発明が解決しようとする課題】
【０００５】
従って、図５を見て分かるように全体的に凹凸の少ない外形となっており、グリップ部１０２を片方の手で握ったときに滑りやすく、小さな力でグリップ部１０２を握っている場合には、下に落としやすいという問題があった。また、髭を剃る場合には刃部を肌に強く押し当てるが、従来の形状では、刃部を肌に強く押し当てることが難しいという問題もあった。
【０００６】
本発明は、上記事情を考慮し、片方の手でグリップ部を握ったときに落としにくく、しかも、刃部を肌に強く押し当てることのできる電気かみそりを提供することを目的とする。
【課題を解決するための手段】
【０００７】
上記課題を解決するために、請求項１の発明は、片手で握ることのできる棒状のグリップ部と、毛を剃るための外刃と内刃を有した刃部を搭載すると共に前記グリップ部の上側に支持されたヘッド部と、を備えた電気かみそりにおいて、前記グリップ部の上端に、該グリップ部の後面方向に突出する接続部を設け、その接続部の上部に前記ヘッド部を取り付けたことを特徴としている。
【０００８】
請求項２の発明は、請求項１に記載の電気かみそりであって、前記グリップ部に対して前記ヘッド部が前後方向もしくは左右方向に揺動可能に設けられており、前記ヘッド部の全ての可動域において、当該ヘッド部の前端部の位置が、前記グリップ部の前面の位置よりも後面側に収まるように構成されていることを特徴としている。
【０００９】
請求項３の発明は、請求項１または２に記載の電気かみそりであって、前記グリップ部に対して前記ヘッド部が前後方向もしくは左右方向に揺動可能に設けられており、前記グリップ部の後面方向に突出するように設けられた前記接続部に、前記ヘッド部を前後方向に揺動させる前後揺動機構もしくは左右方向に揺動させる左右揺動機構が搭載されていることを特徴としている。
【００１０】
請求項４の発明は、請求項１に記載の電気かみそりであって、前記ヘッド部が前記グリップ部の軸線に対して前方に傾いており、前記ヘッド部に保持された前記刃部の外刃の外面が、前方から見えるように位置していることを特徴としている。
【００１１】
請求項５の発明は、請求項１〜４のいずれか１項に記載の電気かみそりであって、前記接続部の前記グリップ部に対して結合している根元部分に、細く括れた括れ部が設けられていることを特徴としている。
【００１２】
請求項６の発明は、請求項５に記載の電気かみそりであって、前記グリップ部の前面の上端部が前記括れ部よりも上方に延長されており、その延長部分に、親指を当てるための反り形状の指当て部が設けられていることを特徴としている。
【００１３】
請求項７の発明は、請求項１〜６のいずれか１項に記載の電気かみそりであって、前記グリップ部の上端面が、該グリップ部の軸線に直交する面に対して後側に傾斜した傾斜面として形成されており、その傾斜面に前記接続部が結合されていることにより、前記接続部が、前記グリップ部の後面方向に突出しており、しかも、グリップ部の前面の上端よりも下側にずれて配置されていることを特徴としている。
【発明の効果】
【００１４】
請求項１の発明によれば、棒状のグリップ部の上端にグリップ部の後面（背面とも言う）方向に突出する接続部を設け、その接続部の上部にヘッド部を取り付けたので、グリップ部を片方の手で握ったときに、ヘッド部の下側の接続部に人差し指が掛かるようになり、軽い力でグリップ部を握った場合にも、落としにくくなる。また、ヘッド部の下側の接続部を人差し指で後面側から支える形になるので、ヘッド部を肌に強く押し付けやすくなり、深剃りが可能になる。従って使いやすい電気かみそりを提供できる。また、接続部が後面側に突出していることから、ヘッド部を複雑な構造にしても、グリップ部の下端からヘッド部の上端までの全高を抑えることができ、コンパクト化が可能になる。
【００１５】
請求項２の発明によれば、ヘッド部をどのように動かしても、ヘッド部の前端部の位置が、グリップ部の前面の位置よりも後面側に収まるように構成されているので、刃部が上を向くようにヘッド部を最大に揺動させたときにも、また、刃部が前を向くようにヘッド部を最大に揺動させたときにも、ヘッド部がグリップ部の最前面よりも突出しないようになる。従って、前面側を下にしてテーブル等の上に本発明の電気かみそりを置いた場合に、刃部が床に当たらないようにすることができ、刃部の無用の変形を防ぐことができる。また、グリップ部を片方の手で握った場合、親指がグリップ部の前面側を支え、他の指がグリップ部の後面側を支える形になるが、その際に、ヘッド部が全ての位置で親指よりも後方に位置することになるので、刃部で髭を狙いやすくなる。
【００１６】
請求項３の発明によれば、グリップ部の後面方向に突出する接続部に揺動機構を搭載したので、揺動機構を搭載するがゆえの電気かみそりの全高の増加を極力抑えることができる。
【００１７】
請求項４の発明によれば、前方に外刃の外面（刃面）が向いているので、外刃を肌に当てやすく、力を外刃に伝えやすい。
【００１８】
請求項５の発明によれば、グリップ部を片方の手で握ったときに、人差し指が括れ部にフィットすることになるので、より一層落としにくくなる。
【００１９】
請求項６の発明によれば、グリップ部を片方の手で握ったときに、親指がグリップ部の前面の上端の反り形状の指当て部に当たるので、安定してグリップ部を支えることができ、より一層落としにくくなる。
【００２０】
請求項７の発明によれば、グリップ部の上端面が後側に傾斜した傾斜面として形成され、その傾斜面に接続部が結合されているので、電気かみそりの全高を小さく抑えることができる。
【図面の簡単な説明】
【００２１】
【図１】本発明の実施形態の電気かみそりの前側から見た外観斜視図である。
【図２】同電気かみそりの概略側面図である。
【図３】同電気かみそりにおいて、ヘッド部を前後方向に揺動させた場合の位置関係を示す図で、（ａ）は中間位置にあるとき、（ｂ）は前側に最大に揺動させたとき、（ｃ）は後側に最大に揺動させたときの各状態を示す概略側面図である。
【図４】同電気かみそりの揺動機構の搭載位置を示す図で、（ａ）は左右揺動機構の搭載位置を示す概略側面図、（ｂ）は前後揺動機構の搭載位置を示す概略側面図である。
【図５】従来の電気かみそりの例を示す側面図である。
【発明を実施するための形態】
【００２２】
以下、本発明の実施形態を図１〜図４を参照して説明する。
【００２３】
図１は実施形態の電気かみそりの前側から見た外観斜視図、図２は同電気かみそりの概略側面図、図３は同電気かみそりにおいて、ヘッド部を前後方向に揺動させた場合の位置関係を示す図で、図３（ａ）は中間位置にあるとき、図３（ｂ）は前側に最大に揺動させたとき、図３（ｃ）は後側に最大に揺動させたときの各状態を示す概略側面図、図４は同電気かみそりの揺動機構の搭載位置を示す図で、図４（ａ）は左右揺動機構の搭載位置を示す概略側面図、図４（ｂ）は前後揺動機構の搭載位置を示す概略側面図である。各図において、Ａは前面側、Ｂは後面（背面）側を示している。
【００２４】
図１〜図４に示すように、この実施形態の電気かみそりは、片方の手で握ることのできる棒状のグリップ部２と、毛を剃るための外刃と内刃を有した刃部５（図では外刃のみ示されている）を搭載すると共にグリップ部２の上側に支持されたヘッド部１とを備えるもので、グリップ部２の上端に、グリップ部２の後面方向に突出する接続部３が設けられており、その接続部３の上部にヘッド部１が取り付けられている。
【００２５】
ヘッド部１は、グリップ部２に対して前後方向Ｘおよび左右方向Ｙに揺動可能に設けられており、図３（ａ）〜（ｃ）に示すように、ヘッド部１の全ての可動域において、ヘッド部１の前端部の位置が、グリップ部２の前面２Ａの位置よりも後面側に収まるように構成されている。
【００２６】
また、図２および図３（ａ）に示すように、ヘッド部１が前後方向の中間位置にあるときには、ヘッド部１がグリップ部２の中心軸線２Ｊに対して前方に傾いた状態となり、ヘッド部１に保持された刃部５の外刃の外面が前方（図２中のＳは前方からの視線を示す）から見えるようになっている。
【００２７】
また、図４（ａ）および図４（ｂ）に示すように、ヘッド部１を左右方向Ｙに揺動させる左右揺動機構８および前後方向Ｘに揺動させる前後揺動機構９は、グリップ部２の後面方向に突出するように設けられた接続部３に搭載されている。
【００２８】
また、接続部３のグリップ部２に対して結合している根元部分には、図２中の寸法Ｋが他の部分よりも細く括れた括れ部４が設けられている。また、グリップ部２の前面２Ａの上端部２ｂが、その括れ部４よりも上方に延長されており、その延長部分に、親指を当てるための反り形状の指当て部６が設けられている。
【００２９】
また、グリップ部２の上端面２ａは、グリップ部２の中心軸線２Ｊに直交する面２Ｐに対して後側に傾斜した傾斜面として形成されており、その傾斜面上に接続部３が結合されている。つまり、グリップ部２の上端面２ａとグリップ部２の中心軸線２Ｊとのなす角度θが９０°ではなく、４５°程度となっており、それにより接続部３が、グリップ部２の後面方向に突出しており、しかも、グリップ部２の前面２Ａの上端部２ｂよりも下側にずれて配置されている。
【００３０】
上述のように、本実施形態の電気かみそりでは、棒状のグリップ部２の上端にグリップ部２の後面方向に突出する接続部３が設けられており、その接続部３の上部にヘッド部１が取り付けられているので、グリップ部２を片方の手で握ったときに、ヘッド部１の下側の接続部３に人差し指が掛かるようになり、軽い力でグリップ部２を握った場合にも、落としにくくなる。また、ヘッド部１の下側の接続部３を人差し指で後面側から支える形でグリップ部２を握れるようになるので、ヘッド部１を肌に強く押し付けやすくなり、深剃りが可能になる。従って使いやすい電気かみそりを提供できる。また、接続部３が後面側Ｂに突出していることから、ヘッド部１を複雑な構造にしても、グリップ部２の下端からヘッド部１の上端までの全高を抑えることができ、コンパクト化が可能になる。
【００３１】
また、本実施形態の電気かみそりでは、図３に示すように、ヘッド部１をどのように動かしても、ヘッド部１の前端部の位置が、グリップ部２の前面２Ａの位置よりも後面側に収まるように構成されているので、例えば、図３（ａ）に示す中間位置から、図３（ｂ）に示すように刃部５が上を向くようにヘッド部１を前方向（矢印ＸＡ方向）に最大に揺動させたときにも、また、図３（ｃ）に示すように刃部５が前を向くようにヘッド部１を後方向（矢印ＸＢ方向）に最大に揺動させたときにも、ヘッド部１がグリップ部２の最前面２Ａよりも突出しないようになる。従って、前面側Ａを下にしてテーブル等の上に本電気かみそりを置いた場合に、刃部５が床に当たらないようにすることができ、刃部５の無用の変形を防ぐことができる。また、グリップ部２を片方の手で握った場合、親指がグリップ部２の前面側Ａを支え、他の指がグリップ部２の後面側Ｂを支える形になるが、その際に、ヘッド部１が全ての位置で親指よりも後方に位置することになるので、刃部５で髭を狙いやすくなる。
【００３２】
また、本電気かみそりでは、グリップ部２の後面側Ｂ方向に突出する接続部３に左右揺動機構８と前後揺動機構９を搭載したので、各揺動機構８、９を搭載するがゆえの電気かみそりの全高の増加を極力抑えることができる。また、ヘッド部１が前後方向の中間位置にあるとき、前方に刃部５の外刃の外面（刃面）が向くので、外刃を肌に当てやすくなり、力を外刃に伝えやすくなる。
【００３３】
また、本電気かみそりでは、接続部３の根元部分に括れ部３を設け、グリップ部２の前面の上端に反り形状の指当て部６を設けているので、グリップ部２を片方の手で握ったときに、人差し指を括れ部４にフィットさせることができると共に、親指を指当て部６にフィットさせることができる。従って、安定してグリップ部２を支えることができ、より一層落としにくくなる。
【００３４】
また、本電気かみそりでは、グリップ部２の上端面２ａを後側に傾斜した傾斜面として形成し、その傾斜面に接続部を結合しているので、電気かみそりの全高を小さく抑えることができる。
【符号の説明】
【００３５】
１  ヘッド部
２  グリップ部
２Ａ  前面
２ａ  上端面
２ｂ  前面の上端部
２Ｊ  中心軸線
２Ｐ  中心軸線に直交する面
３  接続部
４  括れ部
５  刃部
６  指当て部
Ａ  前面側
Ｂ  後面（背面）側
Ｘ  前後方向
Ｙ  左右方向
【図１】
2010162144.tif 000003
【図２】
2010162144.tif 000004
【図３】
2010162144.tif 000005
【図４】
2010162144.tif 000006
【図５】
2010162144.tif 000007